(57)【特許請求の範囲】
【請求項１】
天板を下方から支持するとともに、内部に配線の収納空間を有するテーブルの脚柱であって、
管状に形成される脚柱の周面に上下方向に延びるように形成された開口が、着脱自在なカバー体により閉塞可能とされ、前記脚柱とカバー体とにより配線の収納空間が形成されるようになっており、前記カバー体は、上下に前記脚柱への取り付け用の取付手段を有する硬質部と、該硬質部の左右少なくともいずれか一方の端部に設けられる弾性変形可能な可撓部とから構成されていることを特徴とするテーブルの脚柱。
【請求項２】
前記脚柱の上端に、前記天板取り付け用の天板受座が取り付けられるとともに、前記脚柱の下端に、床面に接地する接地部材が取り付けられており、前記カバー体の上下部が、前記取付手段を介して前記天板受座及び接地部材に対して着脱自在に取り付け出来るようになっている請求項１に記載のテーブルの脚柱。
【請求項３】
前記カバー体の前記開口への装着時において、前記開口の上下端部に配線挿通用の挿通口が形成されている請求項１または２に記載のテーブルの脚柱。
【請求項４】
前記カバー体が、硬質部を構成する硬質な樹脂と可撓部を構成する軟質の樹脂とにより一体成形されている請求項１ないし３のいずれかに記載のテーブルの脚柱。
【発明の詳細な説明】
【０００１】
【発明の属する技術分野】
本発明は、テーブル等の天板を支持する脚柱に係わり、特に内部に配線等を収納可能とするテーブルの脚柱に関する。
【０００２】
【従来の技術】
従来、管状に形成された脚柱内に配線を収納可能としたテーブル等にあっては、脚柱内に配線を収納可能とすることにより、天板上に載置されるコンピュータ機器等から延出されるケーブルやコード類を、床面まで体裁良く収納出来る。
【０００３】
【発明が解決しようとする課題】
しかしながら、例えばコンピュータの本体部等を天板の下方に配設するような場合、上記のように脚柱内に収納される一部のケーブルやコード類を、脚柱における上下方向の所定の位置から体裁良く引き出して使用したいという要望があった。
【０００４】
本発明は、このような問題点に着目してなされたもので、脚柱内への配線作業を容易に行えるとともに、脚柱内に収納されたケーブルやコード類を所望の箇所から体裁良く挿通させることが出来るテーブルの脚柱を提供することを目的とする。
【０００５】
【課題を解決するための手段】
上記課題を解決するために、本発明のテーブルの脚柱は、天板を下方から支持するとともに、内部に配線の収納空間を有するテーブルの脚柱であって、管状に形成される脚柱の周面に上下方向に延びるように形成された開口が、着脱自在なカバー体により閉塞可能とされ、前記脚柱とカバー体とにより配線の収納空間が形成されるようになっており、前記カバー体は、上下に前記脚柱への取り付け用の取付手段を有する硬質部と、該硬質部の左右少なくともいずれか一方の端部に設けられる弾性変形可能な可撓部とから構成されていることを特徴としている。この特徴によれば、カバー体により開口が閉塞された状態において、弾性変形可能なカバー体の可撓部から配線を挿通することが可能であるため、脚柱内に収納された配線を、カバー体を外すことなく、脚柱における上下方向任意の箇所から体裁良く引き出すことが出来る。また、配線を挿通させた場合にあっても、可撓部と脚柱における開口端縁との間に上下に延びる大きな隙間が形成され、外観体裁が損なわれることがない。
【０００６】
本発明のテーブルの脚柱は、前記脚柱の上端に、前記天板取り付け用の天板受座が取り付けられるとともに、前記脚柱の下端に、床面に接地する接地部材が取り付けられており、前記カバー体の上下部が、前記取付手段を介して前記天板受座及び接地部材に対して着脱自在に取り付け出来るようになっていることが好ましい。
このようにすれば、脚柱に加工を施すことなく、カバー体を開口に取り付けることが出来る。
【０００７】
本発明のテーブルの脚柱は、前記カバー体の前記開口への装着時において、前記開口の上下端部に配線挿通用の挿通口が形成されていることが好ましい。
このようにすれば、多量の配線を体裁良く配線できる。
【０００８】
本発明のテーブルの脚柱は、前記カバー体が、硬質部を構成する硬質な樹脂と可撓部を構成する軟質の樹脂とにより一体成形されていることが好ましい。
このようにすれば、カバー体を容易に製造することが出来る。
【０００９】
【発明の実施の形態】
以下、本発明の実施例を図面に基づいて説明すると、まず図１には本発明の適用されたテーブル１が示されており、２は天板、３は天板２を支持する脚柱をそれぞれ示しており、天板２の下方における各脚柱３間には、幕板４、４’が配設されている。また、５はパソコンのモニタであり、このモニタ５から延出されるケーブル・コード類Ｃは、天板２上面における後方左右側にそれぞれ設けられた挿通口６を介して天板２の下方に挿通出来るようになっている。
【００１０】
図２中において天板２の左右側を支持する前後の脚柱３、３間に配設される幕板４、及び天板２の後方を支持する後部左右の脚柱３、３間に配設される幕板４、４’は、それぞれの左右端部に外方に突出するように設けられる取付金具７を介して各脚柱３に取り付けられている。この幕板４、４’の取付構造の詳細は後述することとする。
【００１１】
図２に示される８は、天板２の下面を支持する補強フレームであり、この補強フレーム８は、前後の脚柱３の上端部に取り付けられる天板受座９のフランジ部１０（図３、４参照）に前後端がネジ固定されるフレーム８ａと、この左右のフレーム８ａ同士を連結する連結フレーム８ｂとから構成されている。
【００１２】
天板受座９は、図３、図４に示されるように、天板２の下面を支持するフランジ部１０を有する天板固定部材９ａと、脚柱３の上端面を閉塞する閉塞部材９ｂとからなり、フランジ部１０には、天板２を固定するボルト１１を挿通する挿通孔１２と、前述したフレーム８ａを固定するボルト３４の挿通孔１４がそれぞれ形成されているとともに、天板固定部材９ａの中央部に形成された凹部１５の底部１６には、脚柱３との固定用のボルト１７の挿通孔１８が形成されている。
【００１３】
底部１６には、閉塞部材９ｂの上面中央部に突設された凸部１９が嵌合可能な孔部２０が形成されており、天板固定部材９ａの孔部２０に閉塞部材９ｂの凸部１９を嵌合することにより、両者を一体化出来るようになっている。また、底部１６の下面には、後述するカバー体の上部を固定するための突片４０が下方に向けて垂設されている。
【００１４】
脚柱３の下端には、床面に接地する樹脂製の接地部材２１の取付部２２がボルト２３を介して取り付けられているとともに、この取付部２２の上面には、後述するカバー体の下部を固定するための突片４０’が上方に向けて垂設されている。
【００１５】
脚柱３は、図６に示される横断面図のように中空の管状に形成されており、その周面には、開口１３が上端から下端に亘って形成されているとともに、脚柱３内には、天板受座９及び取付部２２を固定するボルト１７、２３を螺入可能な雌ネジ部が内周面における上下端部にそれぞれ形成されたネジ受部２５ａ〜２５ｃが、それぞれ脚柱３の内周面より内向きに連設される突出片２４ａ〜２４ｃの先端に形成されている。
【００１６】
脚柱３における開口３の左右端縁部からは、それぞれ取付片２７が内向きに連設されており、この取付片２７には、幕板４、４’の左右端部にネジ固定された取付金具７の取付用のネジ孔２９が複数形成されている。
【００１７】
そして本実施例においては、これら脚柱３を構成するネジ受部２５ａ〜２５ｃ、突出片２４ａ〜２４ｃ、取付片２７、開口１３が、押し出し成形により脚柱３の成形と同時に一体成形されるため、これらネジ受部２５ａ〜２５ｃ、突出片２４ａ〜２４ｃ、取付片２７、開口１３は全て脚柱３の上下方向に亘って形成されてなる。
【００１８】
図３、図５、図６における４１は、開口１３を閉塞可能なカバー体であり、このカバー体４１は、開口１３を閉塞するための樹脂製のカバー部材４２と、該カバー部材４２の上下端部にそれぞれ取り付けられ、カバー部材４２の形状を保持する保持部材４３、４３’とから構成されている。
【００１９】
カバー部材４２は、図５に示されるように開口１３への取付け時において脚柱３の周面の一部を構成するように、横断面形状が円弧状に形成されてなり、上下幅が開口１３の上下幅よりも若干短寸に形成されている。そして横断面における略中央部を構成する硬質の樹脂からなる硬質部４２ａと、またこの硬質部４２ａの左右端部を構成する軟質の樹脂からなる肉薄の可撓部４２ｂとからなる。本実施例におけるカバー部材４２は、これら硬質部４２ａと可撓部４２ｂとが押し出し成形により一体成形されてなる。
【００２０】
硬質部４２ａの上下端部には、上下の保持部材４３、４３’の下面から下向きに突設された複数のピン４５、４５’を嵌合可能な嵌合孔４６、４６’が複数形成されており、カバー部材４２の上下端部に保持部材４３、４３’を取付出来るようになっている。
【００２１】
また、上部の保持部材４３の上端には、天板受座９の突片４０を両側から狭持可能なキャッチ片４４ａを先端に有する取付手段としてのキャッチ４４が設けられているとともに、下部の保持部材４３’の上端には、天板受座９の突片４０’を両側から狭持可能なキャッチ片４４ａ’を先端に有するキャッチ４４’が設けられている。
【００２２】
このように構成されるカバー体４１は、図５に示されるように上下のキャッチ片４４ａ、４４ａ’にて突片４０、４０’を狭持するようにはめ込むことで開口１３に取付られ、開口１３を閉塞出来るようになっているとともに、カバー体４１を手前側に引っ張れば、キャッチ片４４ａ、４４ａ’と突片４０、４０’との係止が容易に解除されるため、取り外すことが出来る。なお、突片４０、４０’は図５、図６に示されるように横断面長方形状に形成されているため、キャッチ片４４ａ、４４ａ’の取付け時における回転が規制されるようになっている。
【００２３】
また、本実施例においては、カバー体４１の開口１３への取付け時において、開口１３の上下部に挿通口４７が形成され、カバー体４１を外すことなく、多量のケーブル・コード類Ｃを挿通口４７を介してまとめて挿通出来るようになっている。
【００２４】
以上説明してきたように、本発明実施例としての脚柱３は、図３に示されるように、天板受座９における凹部１５の上方より挿通孔１８に挿通したボルト１７を、脚柱３のネジ受部２５ａ〜２５ｃの上部に螺入することで、天板受座９により上端開口が閉塞されるようになっているとともに、ネジ受部２５ａ〜２５ｃの下部にボルト２３を螺入することにより取り付けられる取付部２２により、下端開口が閉塞されるようになっている。なお、ボルト１７をフランジ部１０の挿通孔１８を挿通して天板２に螺入することにより天板２が取り付けられている。
【００２５】
そして、例えば天板２上にて使用するコンピュータ５等から挿通孔６を介して天板２の下方に延出されるケーブル・コード類Ｃを、上下方向に形成された開口１３を介して脚柱３の内部空間に配線出来るようになっており、使用時においてはこの開口１３をカバー体４１により閉塞することで、配線を見映えよく収納出来るようになっている。
【００２６】
このカバー体４１の左右端部は、軟質の樹脂からなる可撓部４２ｂとなっているため、図６に示されるように可撓部４２ｂの一部を弾性変形させることで、脚柱３における開口１３の端縁との間からケーブル・コード類Ｃを挿通させることが出来る。
【００２７】
この可撓部４２ｂはカバー体４１の左右端部における上下方向にわたって形成されているため、例えば、特に図示しないが、天板２の下方所定箇所に配設されるコンピュータの本体部等にケーブル・コード類Ｃを接続させる場合等において、上記のように脚柱３内に配線したケーブル・コード類Ｃの一部を、カバー体４１を取り外すことなく、かつ、カバー体４１に切欠等を設けることなく、上下方向任意の箇所から外部に延出させることが可能である。
【００２８】
そして、この可撓部４２ｂの弾性変形はケーブル・コード類Ｃが挿通された箇所の近傍のみで起こるため、カバー体と開口１３の端縁との間に上下方向にわたる大きな隙間が形成され、外観が損なわれることがない。さらに、ケーブル・コード類Ｃの挿通により一度弾性変形した箇所も、弾性復帰力により再び開口１３が閉塞されることになる。
【００２９】
また、図７に示されるように脚柱３の成形と同時に取付片２７が、脚柱３における開口１３の左右端縁からそれぞれ内向きに形成され、この取付片２７に幕板４、４’の左右端部より外方に突出するようにネジ固定される取付金具７をネジ固定出来るようになっているため、脚柱３の周面形状に影響されることなく、幕板４、４’を脚柱３に対して確実に取り付けることが出来るばかりか、幕板４、４’が強固な取付片２７により安定して支持される。
【００３０】
このような幕板４、４’の取付金具７が取付片２７に取付けられた場合にあっても、図７に示されるように可撓部４２ｂが外向きに弾性変形するため、カバー体４１を開口１３に取付け出来るとともに、開口１３が確実に閉塞される。
【００３１】
また、図３に示されるように、カバー体４１は脚柱３上下の突片４０、４０’に対して取り付け可能な上下のキャッチ４４、４４’を介して開口１３に取り付け出来るようになっているので、可撓部４２ｂからのケーブル・コード類Ｃの挿通の邪魔になることがない。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば、カバー体４１の開口１３への取付方法は任意であり、上記実施例のような突片４０、４０’を狭持可能なキャッチ４４、４４’に限らず、他の種々の取付手段により着脱自在としてもよい。
【００３４】
また、カバー体４１の可撓部４２ｂが、カバー体４１の左右端部に設けられていたが、左右いずれか一方の端部のみに形成されていてもよい。
【００３５】
さらに、可撓部４２の材質は弾性変形可能なものであれば、樹脂のみに限定されるものではない。
【００３６】
【発明の効果】
本発明は以下の効果を奏する。
【００３７】
（ａ）請求項１項の発明によれば、カバー体により開口が閉塞された状態において、弾性変形可能なカバー体の可撓部から配線を挿通することが可能であるため、脚柱内に収納された配線を、カバー体を外すことなく、脚柱における上下方向任意の箇所から体裁良く引き出すことが出来る。また、配線を挿通させた場合にあっても、可撓部と脚柱における開口端縁との間に上下に延びる大きな隙間が形成され、外観体裁が損なわれることがない。
【００３８】
（ｂ）請求項２項の発明によれば、脚柱に加工を施すことなく、カバー体を開口に取り付けることが出来る。
【００３９】
（ｃ）請求項３項の発明によれば、多量の配線を体裁良く配線できる。
【００４０】
（ｄ）請求項４項の発明によれば、カバー体を容易に製造することが出来る。
【図面の簡単な説明】
【図１】本発明の適用されたテーブルを示す斜視図である。
【図２】図１のテーブルの上面図である。
【図３】テーブルの脚柱を示す一部破断正面図である。
【図４】図３のＡ−Ａ断面図である。
【図５】カバー体の断面図である。
【図６】図３のＢ−Ｂ断面図である。
【図７】脚柱に幕板とカバー体とが取り付けられた状態を示す断面図である。
【符号の説明】
１              テーブル
２              天板
３              脚柱
４              幕板
５              モニタ
６              挿通孔
７              取付金具
８              補強フレーム
８ａ            フレーム
８ｂ            連結フレーム
９              天板受座
９ａ            天板固定部材
９ｂ            閉塞部材
１０            フランジ部
１１            ボルト
１２            挿通孔
１３            開口
１４            挿通孔
１５            凹部
１６            底部
１７            ボルト
１８            挿通孔
１９            凸部
２０            孔部
２１            接地部材
２２            取付部
２３            ボルト
２４ａ〜２４ｃ  突出片
２５ａ〜２５ｃ  ネジ受部
２７            取付片
２９            ネジ孔
３４            ボルト
４０、４０’    突片
４１            カバー体
４２            カバー部材
４２ａ          硬質部
４２ｂ          可撓部
４３、４３’    保持部材
４４、４４’    キャッチ（取付手段）
４４ａ、４４ａ’キャッチ片
４５、４５’    ピン
４６、４６’    嵌合孔
４７            挿通口
Ｃ              ケーブル・コード類
【図１】
0004346178.tif 000002
【図２】
0004346178.tif 000003
【図３】
0004346178.tif 000004
【図４】
0004346178.tif 000005
【図５】
0004346178.tif 000006
【図６】
0004346178.tif 000007
【図７】
0004346178.tif 000008